(57)【要約】【課題】温度調節の操作がしやすいアイロンを提供する。【解決手段】ヒータ２により加熱されるベース１と、ハンドル１２を有するアイロン本体１０と、ベース１の温度を検知し、ヒータ２への通電をオンオフ制御するサーモスタット３と、サーモスタット３の動作温度を外部操作によって調節する温度調節ダイヤル１１とを具備し、温度調節ダイヤル１１を、アイロン本体１０の上面でハンドル１２の前方に配設するとともに、ハンドル１２の長手方向と同方向に回動するようにしたもので、ハンドル１２を片手で持ちながら、その握った手の親指を前後方向に移動させるだけで温度調節ダイヤルを操作できるので、非常に使い勝手が良いものである。【選択図】図２
2006068374.tif 000002
【特許請求の範囲】
【請求項１】
ヒータにより加熱されるベースと、ハンドルを有するアイロン本体と、前記ベースの温度を検知し、前記ヒータへの通電をオンオフ制御するサーモスタットと、前記サーモスタットの動作温度を外部操作によって調節する温度調節ダイヤルとを具備し、前記温度調節ダイヤルを、前記アイロン本体の上面で前記ハンドルの前方に配設するとともに、前記ハンドルの長手方向と同方向に回動するようにしたアイロン。
【発明の詳細な説明】
【技術分野】
【０００１】
本発明は、衣類等のしわ伸ばしに用いられるアイロンに関するものである。
【背景技術】
【０００２】
従来、この種のアイロンでは、アイロンかけ面の温度を外部操作で調節する温度調節ダイヤルを、ハンドルの下方に配置したもの（例えば、特許文献１参照）と、アイロン本体の前方上方に配置してハンドルの左右方向に回動自在としたものが一般的であった（例えば、特許文献２参照）。
【特許文献１】実開昭５７−１８７２００号公報
【特許文献２】特開昭５９−９０００号公報
【発明の開示】
【発明が解決しようとする課題】
【０００３】
しかしながら、衣類に適した温度に調節する際、前者の場合は、ハンドルの下方に温度調節ダイヤルがあるので、温度目盛が見づらく温度を合わせにくいという課題があった。また、後者の場合は、前者の問題点を解決するためにアイロン本体の前方上方に配置したものであるが、アイロンを持ちながら温度調節する場合、片手でアイロンを持ち、もう一方の手で温度調節ツマミを操作しなければならない、すなわち両手を使わなければならないという煩わしさがあった。
【０００４】
本発明は、前記従来の課題を解決するもので、アイロンを片手で持ちながらでも、持ち上げた手の指で温度調節できる使い勝手のいいアイロンを提供することを目的とする。
【課題を解決するための手段】
【０００５】
前記従来の課題を解決するために、本発明のアイロンは、ヒータにより加熱されるベースと、ハンドルを有するアイロン本体と、前記ベースの温度を検知し、前記ヒータへの通電をオンオフ制御するサーモスタットと、前記サーモスタットの動作温度を外部操作によって調節する温度調節ダイヤルとを具備し、前記温度調節ダイヤルを、前記アイロン本体の上面で前記ハンドルの前方に配設するとともに、前記ハンドルの長手方向と同方向に回動するようにしたもので、アイロンのハンドルを片手で持ちながら、その握った手の親指を前後方向に移動させるだけで温度調節ダイヤルを操作できるので、非常に使い勝手が良いものである。
【発明の効果】
【０００６】
本発明のアイロンは、ハンドルを片手で持ちながら、そのハンドルを握った手の指で容易に温度調節ができ、使い勝手の良いものである。
【発明を実施するための最良の形態】
【０００７】
第１の発明は、ヒータにより加熱されるベースと、ハンドルを有するアイロン本体と、前記ベースの温度を検知し、前記ヒータへの通電をオンオフ制御するサーモスタットと、前記サーモスタットの動作温度を外部操作によって調節する温度調節ダイヤルとを具備し、前記温度調節ダイヤルを、前記アイロン本体の上面で前記ハンドルの前方に配設するとともに、前記ハンドルの長手方向と同方向に回動するようにしたもので、アイロンのハンドルを片手で持ちながら、その握った手の親指を前後方向に移動させるだけで温度調節ダイヤルを操作できるので、非常に使い勝手が良いものである。
【０００８】
以下、本発明の実施の形態について、図面を参照しながら説明する。なお、この実施の形態によって本発明が限定されるものではない。
【０００９】
（実施の形態１）
図１は、本発明の第１の実施の形態におけるアイロンの外観斜視図、図２は、同アイロンの部分側断面図である。
【００１０】
図１、２において、１は、底面のかけ面でアイロンかけするベースで、１０はアイロン本体、１２はアイロンを持つためにアイロン本体１０に設けたハンドル、１１はアイロン本体１０の上面でハンドル１２の前部上方に軸部１１ａの部分で取付けられた温度調節ダイヤルで、ハンドル１２の長手方向（矢印Ａ方向）すなわちアイロンの前後方向に軸部１１ａのまわりに回動自在に取付けられている。
【００１１】
ベース１には、略Ｕ字状のヒータ２が埋設され、同ヒータ２により加熱される。３はヒータ２への通電をオンオフするサーモスタットで、ベース１の熱を検知するバイメタル４と、接点５ａ、５ｂを有する可動接点バネ６と固定接点板７からなるスイッチ部８と、スイッチ部８の動作点を変える連動板９から構成されている。
【００１２】
この温度調節ダイヤル１１は、その外周の一部をアイロン本体１０の上面より突出させてあり、この突出した部分を指で前後に操作して回動させるよう構成している。なお、温度調節ダイヤル１１をアイロン本体１０の上面より突出させるかわりに、温度調節ダイヤル１１の周辺のアイロン本体１０上面を窪ませて形成しても同様の操作が可能である。
【００１３】
また、温度調節ダイヤル１１は、回動により連動する作動棒１３を介して連動板９の先端部の高さを可変するカム部１４を有している。
【００１４】
作動棒１３は、直線状の線材で形成され、その中心軸を温度調節ダイヤル１１の回動支軸である軸部１１ａの中心の直下に位置させてあり、ハンドル１２の前端部から下方にほぼ鉛直に設けられたアイロン本体１０の壁部１５の内面でガイドされて上下方向に摺動可能に構成されている。
【００１５】
以上のように構成されたアイロンの作用、動作について、以下に説明する。
【００１６】
まず、衣類に適した温度に設定する時、温度調節ダイヤル１１はアイロン本体１０の上面という見やすい位置にあるので簡単に温度設定操作を行うことができるとともに、誤った温度に設定してしまうことも防止することができる。
【００１７】
次にアイロンかけ中に温度設定を変えたい場合は、アイロン本体１０のハンドル１２を握ったまま、同じ手の親指で簡単に温度調節ダイヤル１１の回動操作が行える。しかも、温度調節ダイヤル１１の回動方向はハンドル１２の長手方向すなわちアイロンの前後方向にしているので、ハンドル１２を握ったとき、親指の動きやすい方向と一致するので、手に余分な負担がかからない。
【００１８】
また、作動棒１３を直線状の線材で形成し、その中心軸を温度調節ダイヤル１１の回動支軸である軸部１１ａの中心の直下に位置させてあり、ハンドル１２の前端部から下方にほぼ鉛直に設けられたアイロン本体１０の壁部１５の内面でガイドして上下方向に摺動可能に構成しているので、温度調節ダイヤル１１の操作に際し、調整部分の動作に引っ掛かりがなくスムーズで、親指だけでもたやすく調整することが可能である。
【産業上の利用可能性】
【００１９】
以上のように、本発明にかかるアイロンは、アイロンを片手で持ちながらでも、持ち上げた手の指で温度調節をすることが可能となり、使い勝手を向上させたので、家庭用、業務用のアイロンに広く適用できる。
【図面の簡単な説明】
【００２０】
【図１】本発明の実施の形態１におけるアイロンの外観斜視図
【図２】同アイロンの部分側断面図
【符号の説明】
【００２１】
１    ベース
２    ヒータ
３    サーモスタット
１０  アイロン本体
１１  温度調節ダイヤル
１２  ハンドル
１３  作動棒
【図１】
2006068374.tif 000003
【図２】
2006068374.tif 000004